(57)【特許請求の範囲】
【請求項１】
同期ステータスメッセージ品質コードが異なる伝送方式に切り替え可能な複数の伝送装置を伝送路により接続して高速同期伝送を行うデータ伝送制御システムに於いて、
前記複数の伝送装置は、自伝送装置がマスタ局かスレーブ局かの設定情報と伝送モードの設定情報とを、同期伝送フレームのオーバヘッドの未使用バイトの中の予め定めたビットを用いて設定して送信する手段を備え、
前記スレーブ局に設定された伝送装置は、
前記マスタ局設定情報と前記伝送モード設定情報とを受信して、受信した伝送モード設定情報による伝送モードに変更処理する手段と、
前記同期伝送フレームのオーバヘッドの未使用バイトの中の予め定めたビットを自局をマスタ局に設定して前記伝送モード設定情報を前記伝送路を介して次の伝送装置に伝送する手段と
を備えたことを特徴とするデータ伝送制御システム。
【請求項２】
前記同期伝送フレームのオーバヘッドの未使用バイトの中の予め定めたビットを用いて設定した伝送モードの設定情報を基に、伝送モードの設定変更処理を行う伝送モードの変更処理手段は、前方保護段数及び後方保護段数を設定した保護手段を含む構成を備えたことを特徴とする請求項１記載のデータ伝送制御システム。
【請求項３】
前記伝送モードの変更に従って、同期ステータスメッセージ品質コードのレベルを、変更後の伝送モードに整合させるように変換する同期ステータスメッセージ品質コード変換部を備えたことを特徴とする前記請求項１記載のデータ伝送制御システム。
【発明の詳細な説明】
【技術分野】
【０００１】
本発明は、ＳＤＨ，ＳＯＮＥＴ等の同期伝送を行う為の伝送モード等を自動判定して、伝送制御を行うデータ伝送制御システムに関する。
【背景技術】
【０００２】
光信号等により高速でデータ伝送を行うシステムとして、ＳＤＨ（Ｓｙｎｃｈｒｏｎｏｕｓ  Ｄｉｇｉｔａｌ  Ｈｉｅｒａｒｃｈｙ）、ＳＯＮＥＴ（Ｓｙｎｃｈｒｏｎｏｕｓ  Ｏｐｔｉｃａｌ  Ｎｅｔｗｏｒｋ）、ＭＡＰＯＳ（Ｍｕｌｔｉｐｌｅ  Ａｃｃｅｓｓ  Ｐｒｏｔｏｃｏｌ  ｏｖｅｒ  ＳＯＮＥＴ／ＳＤＨ）等のシステムが知られている。又ＳＤＨ方式とＳＯＮＥＴ方式との伝送速度がそれぞれ規格化されており、ＳＤＨ方式のＳＴＭ−０〜ＳＴＭ−６４と、ＳＯＮＥＴ方式のＯＣ−１〜ＯＣ−１９２とのそれぞれの伝送速度による対応付けが決められている。即ち、伝送速度５１．８４ＭｂｐｓのＳＴＭ−０とＯＣ−１、伝送速度１５５．５２ＭｂｐｓのＳＴＭ−１とＯＣ−３、伝送速度６２２．０８ＭｂｐｓのＳＴＭ−４とＯＣ−１２、伝送速度２，４８８．３２ＭｂｐｓのＳＴＭ−１６とＯＣ−４８、伝送速度９，９５３．２８ＭｂｐｓのＳＴＭ−６４とＯＣ−１９２とがそれぞれ対応されている。このＳＤＨ／ＳＯＮＥＴ方式の例えばＳＴＭ１／ＯＣ３の伝送フレームのオーバヘッドＳＯＨは、図８のＳＴＭ１／ＯＣ３の伝送フレームのオーバヘッドの説明図に示すように、（９ｂｙｔｅｓ×９ｒｏｗｓ）の構成で、上３行は、中継セクションオーバヘッドＲＳＯＨ、上から４行目は、ＡＵポインタ（Ａｄｍｉｎｉｓｔｒａｔｉｖｅ  ｕｎｉｔ  ｐｏｉｎｔｅｒｓ）、その下５行は端局セクションオーバヘッドＭＳＯＨである。なお、Ａ１，Ａ２は同期ビットパターン、Ｂ１はＢＩＰ−８（Ｂｉｔ  Ｉｎｔｅｒｌｅａｖｅｄ  Ｐａｒｉｔｙ  ８）の監視方式の監視用バイト、Ｂ２はＢＩＰ−Ｎ×２４監視方式のバイト、Ｄ１〜Ｄ３は監視制御情報転送バイト、Ｄ４〜Ｄ１２はデータ通信チャネル用のバイト、Ｅ２はオーダワイヤバイトを示し、又Ｊ０バイトの次のバイトは、送信フレームについてのみ、“１０１０１０１０”とする。その他のバイトは、未使用或は特定の伝送システムに対応して設定することが知られている。
【０００３】
図９は、ＳＴＭ１／ＯＣ３のフレームフォーマットの説明図であり、ＳＤＨ／ＳＯＮＥＴ方式のＳＴＭ１／ＯＣ３は、伝送速度１５５．５２Ｍｂｐｓである。そのセクションオーバヘッドＳＯＨは、前述の図８に示す構成と同一であるが、Ｈ１〜Ｈ３はＡＵポインタＡＵ  ＰＴＲを示す。又ペイロードは２６１列×９行の構成で、例えば、８５列×９行のバーチャルコンテナＶＣ−３を図示のように、３個収容して伝送することができる。各バーチャルコンテナＶＣ−３には、それぞれ、Ｊ１，Ｂ３，Ｃ２，Ｇ１，Ｆ２，Ｎ４，Ｆ３，Ｋ３，Ｎ１バイトからなるパスオーバヘッドＰＯＨが付加されている。なお、ＶＣ−１１は、３列×９行の構成のバーチャルコンテナを示し、２７バイト構成であるから、そのビットレートは、１．７８Ｍｂｐｓとなる。又バーチャルコンテナについては、ビットレート２．３ＭｂｐｓのＶＣ−１２、ビットレート６．９ＭｂｐｓのＶＣ−２、ビットレート４８．９ＭｂｐｓのＶＣ−３、ビットレート２．３４９ＭｂｐｓのＶＣ−４が定められている。
【０００４】
又ＳＤＨ方式、ＳＯＮＥＴ方式等の同期伝送システムに於いて、伝送装置間の伝送速度や、全二重（Ｆｕｌｌ  Ｄｕｐｌｅｘ）モード又は半二重（Ｈａｌｆ  Ｄｕｐｌｅｘ）モードの伝送モード等を通知する手段として、伝送フレームのペイロードの先頭位置、例えば、図８に示すＳＴＭ−１のオーバヘッドＳＯＨの未使用バイト領域の中の６行２列目等の未使用バイトを利用し、この未使用バイトについて、ＳＴＭ−０では、ＴＴＣ  ＪＴ−Ｇ．７０７、ＳＴＭ−１６及びＳＴＭ−６４では、ＩＴＵ−Ｔ  Ｇ．７０７にそれぞれ準拠して、オール“１”とすることが要求されている。又ＳＯＮＥＴ方式の場合は、Ｔｅｌｃｏｒｄｉａ  ＧＲ−２５３−ＣＯＲＥに準拠して、オール“０”とすることが要求されている。又ＭＡＰＯＳ方式は、ＳＤＨ方式やＳＯＮＥＴ方式を基にした伝送方式であり、ＮＴＴの研究所により開発した伝送方式で、以下ＮＴＴ方式と略称する場合がある。
【０００５】
又複数の伝送装置を伝送路によって順次リング状に接続し、ＳＤＨ方式を適用して多重化伝送を行うシステムに於いて、異なる伝送装置にそれぞれ接続したルータ等の通信装置間でデータ通信を行う場合、リング状伝送路により接続された各伝送装置は、ＳＤＨフレームのペイロードに、通信装置間のデータをバーチャルコンテナとして多重化して送受信する。その場合に、通信装置間のデータ通信速度、全二重通信又は半二重通信等の伝送モードを含む制御情報を相互に通知して、通信速度、伝送モードを一致させることが必要であり、その為に、通信装置間のデータ通信用のバーチャルコンテナのペイロードの先頭位置に、制御情報を付加し、この制御情報によって、バーチャルコンテナ対応の通信装置相互間でオートネゴシェーションを行うことにより、通信装置間対応の通信を安定に行う手段が提案されている（例えば、特許文献１参照）。
【先行技術文献】
【特許文献】
【０００６】
【特許文献１】特開２０１１−１７６５４３号公報
【発明の概要】
【発明が解決しようとする課題】
【０００７】
複数の伝送装置を光ファイバ等による高速伝送路により接続して、高速データ伝送を行うデータ伝送制御システムは、既に各種提案されていると共に実用化されている。このようなシステムに於いては、例えば、前述のＳＤＨ方式、ＳＯＮＥＴ方式、ＭＡＰＯＳ方式等の中の何れかの伝送方式を適用するように構築されるものであり、データ伝送制御システムを構築する各伝送装置は、予め設定された伝送方式に従って初期設定される。しかし、このような初期設定時に、各伝送装置が同一仕様の構成であるとは限らないと共に、システム運用後に、伝送装置の交換や新規増設等が発生すると、新しく接続された伝送装置は、既設の伝送装置と同一の伝送方式に従った仕様に初期設定する必要がある。このような初期設定が、各伝送装置について同一でない場合、例えば、複数の伝送装置の中でマスタ局を設定し、このマスタ局の設定内容に従って他のスレーブ局の設定内容を一致させるように設定する必要があるが、誤設定の場合、クロックソースの誤選択による伝送障害の波及や伝送モードの不整合の問題が生じる。このような誤設定による伝送障害発生時の原因究明と回復処理とには多大の時間と労力とを要する問題がある。このような問題に対しては、前述の従来例を含めた手段によっても解決されていない。
【０００８】
本発明は、前述の従来例の問題点を解決するもので、比較的簡単に且つ自動的に、システム内の全伝送装置の伝送モードの設定内容を統一可能とすることを目的とし、高速データ伝送の安定化を図るものである。
【課題を解決するための手段】
【０００９】
本発明のデータ伝送制御システムは、同期ステータスメッセージ品質コードが異なる伝送方式に切り替え可能な複数の伝送装置を伝送路により接続して高速同期伝送を行うデータ伝送制御システムであって、前記複数の伝送装置は、自伝送装置がマスタ局かスレーブ局かの設定情報と伝送モードの設定情報とを、同期伝送フレームのオーバヘッドの未使用バイトの中の予め定めたビットを用いて設定して送信する手段を備え、前記スレーブ局に設定された伝送装置は、前記マスタ局設定情報と前記伝送モード設定情報とを受信して、受信した伝送モード設定情報による伝送モードに変更処理する手段と、前記同期伝送フレームのオーバヘッドの未使用バイトの中の予め定めたビットを自局をマスタ局に設定して前記伝送モード設定情報を前記伝送路を介して次の伝送装置に伝送する手段とを備えている。
【００１０】
前記同期伝送フレームのオーバヘッドの未使用バイトの中の予め定めたビットを用いて設定した伝送モードの設定情報を基に、伝送モードの設定変更処理を行う伝送モードの変更処理手段は、前方保護段数及び後方保護段数を設定した保護手段を含む構成を備えている。
【００１１】
又前記伝送モードの変更に従って、同期ステータスメッセージ品質コードのレベルを、変更後の伝送モードに整合させるように変換する同期ステータスメッセージ品質コード変換部を備えている。
【発明の効果】
【００１３】
複数種類の伝送モードを設定可能としたデータ伝送制御システムに於いて、システム構築時及び保守点検や増設時に伴う伝送モード設定エラーがあったとしても、マスタ局と伝送モードとを予め設定しておくことにより、システム内の各伝送装置の伝送モード等を自動的に一致させることが可能となる利点がある。
【図面の簡単な説明】
【００１４】
【図１】本発明の実施例１の概要説明図である。
【図２】本発明の実施例１のノードの概要説明図である。
【図３】本発明の実施例１のノードの要部詳細説明図である。
【図４】本発明の実施例１の要部フローチャートである。
【図５】本発明の実施例１のコード変換部の説明図である。
【図６】本発明の実施例１のＱＬコード変換処理の説明図である。
【図７】本発明の実施例２の伝送方式変更処理の状態遷移説明図である。
【図８】ＳＴＭ１／ＯＣ３の伝送フレームのオーバヘッドの説明図である。
【図９】ＳＴＭ１／ＯＣ３のフレームフォーマットの説明図である。
【発明を実施するための形態】
【００１５】
本発明のデータ伝送制御システムは、同期ステータスメッセージ品質コードが異なる伝送方式に切り替え可能な複数の伝送装置を伝送路により接続して高速同期伝送を行うデータ伝送制御システムであって、前記複数の伝送装置は、自伝送装置がマスタ局かスレーブ局かの設定情報と伝送モードの設定情報とを、同期伝送フレームのオーバヘッドの未使用バイト、例えば、Ｆ１バイトの最下位ビットを用いてマスタ局かスレーブ局かを通知し、伝送モードを、例えば、Ｈ１バイトの２ビット分を用いて通知し、マスタ局からの伝送モードの設定情報に従った伝送モードに設定する構成を備えている。
【実施例１】
【００１６】
図１は、本発明の実施例１の概要説明図であり、複数のノードＡ〜Ｄ（ＮｏｄｅＡ〜ＮｏｄｅＤ）を順次リング状に伝送路により接続したデータ伝送制御システムの概要を示し、例えば、ノードＡ（ＮｏｄｅＡ）をマスタ局とすると共に、伝送モードをＳＤＨ方式に設定し、他のノードＢ〜Ｄ（ＮｏｄｅＢ〜ＮｏｄｅＤ）をスレーブ局とし、伝送モードは各種の設定状態の場合、伝送モードの識別用として、オーバヘッドＳＯＨの中のＦ１バイトを使用する。このＦ１バイトは、ユーザチャネルバイトとして定義されているが、一般的には未使用としている場合が殆どであり、通常はオール“０”としている。そこで、このＦ１バイトの８ビット（ｂ１〜ｂ８）の中の最下位の１ビット（ｂ８）を使用し、初期立上時には、マスタ局は“１”に設定する。このマスタ局に於ける設定内容は、初期立上時に確認することが必要である。しかし、マスタ局以外のスレーブ局は、初期設定状態は、基本的には“０”とする。しかし、任意の設定内容とすることができる。又伝送モードについては、オーバヘッドＳＯＨのＡＵポインタＡＵ  ＰＴＲのＨ１〜Ｈ３バイト（図９参照）の中のＨ１バイトについて、その中の２ビット分（以下ｓｓビットと称する）を使用し、ＳＤＨ方式については、ｓｓビット＝“１０”、ＳＯＮＥＴ方式については、ｓｓビット＝“００”とする。従って、図１に於いて、ノードＡをマスタ局、伝送モードをＳＤＨ方式とした場合を示すから、Ｆ１バイトのｂ８ビット＝“１”、Ｈ１バイトのｓｓビット＝“１０”に設定して送信する。
【００１７】
ノードＡに接続されたノードＢは、ＳＯＮＥＴ方式に設定されている場合、ＮｏｄｅＡ＝マスタ局、ＮｏｄｅＡ＝ＳＤＨ、ＮｏｄｅＢ＝ＳＯＮＥＴ（誤設定）として図示しているように、マスタ局の設定内容と相違する場合で、且つノードＢの初期設定内容がスレーブ局である場合、図示のように、ノードＢは、ＮｏｄｅＡからｓｓビットを受信後、ＳＯＮＥＴ→ＳＤＨへモード変更する。このモード変更後、後続のノードＣに対して、ノードＢは、マスタ局として伝送モードの通知を行う為に、Ｆ１バイトのｂ８ビット＝“１”に変更し、且つＨ１バイトのｓｓビット＝“１０”として送信する。それによって、次のノードＣに於いても、ＮｏｄｅＢ→ＮｏｄｅＣもモード変更として示すように、ノードＢと同一の伝送モードに変更される。従って、マスタ局とその伝送モードとを各スレーブ局に順次設定することができる。なお、システム構築時に、スレーブ局となるノードのＦ１バイトの最下位ビットｂ８が“１”でマスタ局と見做される状態が発生し、且つＨ１バイトのｓｓビット＝“００”でＳＯＮＥＴ方式に設定されている場合、最初にマスタ局に設定されたノードＡは、マスタ局の地位と伝送モードの設定内容とを維持することにより、誤設定状態を継続するＳＯＮＥＴ方式設定のノードは、予め設定した所定回数の伝送モードの相違するＨ１バイトのｓｓビットの受信検出により、そのｓｓビットにより示されている伝送モードに修正する。それにより、総て自動的に最初にマスタ局に設定したノードの伝送モードについて設定が可能となる。更に、途中に増設した伝送装置や交換設置した伝送装置に対しても、Ｆ１バイトのｂ８ビット及びＨ１バイトのｓｓビットにより、他の伝送装置と同一の伝送モードに自動的に設定することが可能となる。
【００１８】
図２は、本発明の実施例１のノードの概要説明図であり、図１のノードＡ〜Ｄの概要の構成を示し、光伝送路に接続されて光信号と電気信号との相互の変換手段を含む送受信部（ＳＦＰ）１と、フレーム分解及び組立てを行うフレーム処理部（Ｆｒａｍｅｒ）２と、マッピング処理及び分離処理を行うマッピング処理部（Ｍａｐｐｅｒ）３と、直並列変換部（ＳＥＲＤＥＳ）４と、伝送フレームのヘッダのＦ１バイトとｓｓビットとを検出する検出部（Ｆ１ｂｙｔｅ／ｓｓｂｉｔＤＥＴ）５と、Ｆ１バイト挿入部（Ｆ１ｂｙｔｅ（ｂ８）ＩＮＳ）６と、伝送モード変更部（ＭｏｄｅＣＨＧ）７とを含む構成を有し、フレーム処理部２に、検出部５とＦ１バイト挿入部６と、伝送モード変更部７とを接続した構成を示す。Ｆ１バイト挿入部６は、伝送フレームのオーバヘッドＳＯＨのＦバイトのｂ８ビットを、マスタ局は“１”に設定し、他のスレーブ局は、任意の初期設定状態とするものであるが、基本的には“０”に設定される。なお、伝送モードの設定処理終了した場合に、“１”に設定し、次段のスレーブ局に対して初期設定修了に基づくマスタ局としての伝送モード通知を可能とする。又検出部５は、オーバヘッドＳＯＨのＦ１バイト及びＨ１バイトのｓｓビットを検出して、伝送モード変更部７に通知する。
【００１９】
図３は、本発明の実施例１の要部詳細説明図であり、図２に於ける送受信部１とフレーム処理部２と伝送モード変更部７とについて示し、１０は図２に於ける送受信部１に相当する送受信部（ＳＦＰ）、１１は図２に於けるフレーム処理部２に相当するフレーム処理部（Ｆｒａｍｅｒ）、１２は図２に於ける伝送モード変更部７に相当する伝送モード変更部（Ｍｏｄｅ  ＣＨＧ）、２１はＳＣＲ、２２は同期処理部（Ｓｙｎｃ／ＤＳＣＲ）、２３は同期挿入検出部（ＳＯＨ  ＩＮＳ／ＤＥＴ）、２４は挿入検出部（ＰＯＨＩＮＳ／ＤＥＴ）、２５は多重分離部（ＤＭＵＸ）、２６は多重部（ＭＵＸ）、２７はＳ１バイトの上位４ビットについてのコード変換部（ＳＳＭ  ＱＬ  Ｃｏｄｅ変換部）、２８は未使用バイト変換部（ＳＯＨ未使用ｂｙｔｅ変換部）、２９はＫ１，Ｋ２バイトによるＡＰＳの切替えの方式を変換するＡＰＳ（Ａｕｔｏｍａｔｉｃ  Ｐｒｏｔｅｃｔｉｏｎ  Ｓｗｉｔｃｈ）切替方式変換部を示し、フレーム処理部１１は、図２に示すマッピング処理部（Ｍａｐｐｅｒ）と接続されている。
【００２０】
モード変換部１２は、コード変換部２７と未使用バイト変換部２８とＡＰＳ切替方式変換部２９とを含む構成を有し、それぞれ変換データテーブルにより、ＳＤＨ／ＳＯＮＥＴ情報を基に、コード変換部２７、未使用バイト変換部２８及びＡＰＳ切替方式変換部２９は、入力された検出情報を基に変換した情報を、同期挿入検出部２３に入力する。それにより、前段の伝送装置から受信した情報に従って、伝送方式を一致させる処理を自動的に実行することができると共に、次段の伝送装置に対して伝送方式を一致させる為の情報を送信することができる。それによって、例えば、図１に於けるノードＡ〜Ｄの伝送装置の交換処理時やノード追加による伝送装置の追加接続時には、新規接続伝送装置を既設の伝送装置の伝送方式に自動的に一致させることが可能となる。
【００２１】
図４は、本発明の実施例１の要部フローチャートであり、各伝送装置に於いて、自局の動作モードの設定状態を確認する（１−１）。即ち、自局の動作モードがマスタ局であるか否かは、Ｆ１バイトの最下位ビットｂ８が“１”（マスタ局）か“０”（スレーブ局）かにより判定し、マスタ局の場合は、この処理を終了し、スレーブ局の場合は、対向局からの受信フレームのオーバヘッドのＦ１バイトの最下位ビットｂ８を抽出し（１−２）、伝送モードの変更が可能の状態か否かを判定し（１−３）、伝送モード変更不可能の状態の場合は、ステップ（１−１）に戻り、又伝送モード変更可能の状態の場合は、Ｈ１バイトのｓｓビットを参照し、伝送モードを変更する（１−４）。例えば、ｓｓビットが“００”の場合は、伝送モードをＳＯＮＥＴ方式とし、ｓｓビットが“１０”の場合は、伝送モードをＳＤＨ方式とし、伝送モード判定フラグとして、Ｆ１バイトの最下位ビットｂ８を“１”として、次段の伝送装置に対してはマスタ局として、伝送モードの通知を行うものである。
【００２２】
図５は、本発明の実施例１のコード変換部（ＳＳＭ  ＱＬ  Ｃｏｄe変換部）の説明図であり、図３に於けるＳ１バイトの上位４ビットについてのコード変換部（ＳＳＭ  ＱＬ  Ｃｏｄｅ変換部）２７のテーブル内容に相当し、ＳＳＭコードと、ＳＤＨ（ＩＴＵ  Ｇ．７８１  ＯｐｔｉｏｎＩ）と、ＳＯＮＥＴ（ＩＴＵ  Ｇ．７８１  ＯｐｕｔｉｏｎII）と、ＮＴＴ（ＩＴＵ  Ｇ．７８１  ＯｐｕｔｉｏｎIII）（ＭＡＰＯＳ（Ｍｕｌｔｉｐｌｅ  Ａｃｃｅｓｓ  Ｐｒｏｔｏｃｏｌ  ｏｖｅｒ  ＳＯＮＥＴ／ＳＤＨ））との対応関係を示す。ＳＳＭ  ＱＬコードによりクロックソース選択の定義を行うことから、クロックソースの誤選択を防止する為に、このＳＳＭ  ＱＬコードを一致させる必要があり、伝送モードとして、ＳＤＨ方式とＳＯＮＥＴ方式とＮＴＴ方式（ＭＡＰＯＳ方式）とについてのＱＬコード示す。前述のように、Ｆ１バイトの最下位ビットｂ８によりマスタ局であることを通知すると共に、Ｈ１バイトのｓｓビットにより伝送モードを通知し、それにより、ＳＤＨモードとする場合は、ＳＳＭ  ＱＬコードを、ＩＴＵ  Ｇ  ７８１  ＯｐｕｔｉｏｎＩに従って変更し、ＳＯＮＥＴモードとする場合は、ＳＳＭ  ＱＬコードを、ＩＴＵ  Ｇ  ７８１  ＯｐｕｔｉｏｎIIに従って変更し、ＮＴＴ（ＭＡＰＯＳ）モードとする場合は、ＳＳＭ  ＱＬコードを、ＩＴＵ  Ｇ  ７８１  ＯｐｕｔｉｏｎIIIに従った内容に変更する。
【００２３】
図６は、本発明の実施例１のＱＬコード変換処理の説明図であり、ＮＴＴ（ＭＡＰＯＳ方式）とＳＤＨとＳＯＮＥＴとのそれぞれの方式に於けるＱＬコードの変換処理の例を示し、ＳＤＨモードは、Ｆ１バイトのｂ７＝“０”、ＮＴＴ（ＭＡＰＯＳ）モードは、Ｆ１バイトのｂ７＝“１”によりそれぞれ判断可能であり、又ＳＯＮＥＴモードは、Ｈ１バイトのｓｓビット＝“１０”により判断可能である。これらの伝送モード判断に従って、例えば、ＳＤＨモードからＳＯＮＥＴモードに変更する場合、実線矢印方向に従ってＱＬコードの変更を行い、これと反対に、ＳＯＮＥＴモードからＳＤＨモードに変更する場合、点線矢印方向に従ってＱＬコードの変更を行う。又ＳＤＨモードからＮＴＴ（ＭＡＰＯＳ方式）モードに変更する場合、実線矢印方向にＱＬコードの変更を行い、反対にＮＴＴ（ＭＡＰＯＳ方式）からＳＤＨモードに変更する場合は、点線矢印方向にＱＬコードの変更を行うもので、それらのＱＬコードをテーブル化しておくことにより、伝送方式判定に従って容易に相互間の変換処理を行うことが可能であり、何れの伝送方式に変更しても、クロックソースの誤選択を回避可能とすることができる。
【実施例２】
【００２４】
図７は、本発明の実施例２の伝送方式変更処理の状態遷移説明図であり、ＳＤＨ設定状態とＳＯＮＥＴ設定状態との間の変更処理に、前方保護と後方保護との保護段数を設定することにより、立上げ処理や運用処理過程及び増設や修復等の処理に於ける誤設定や伝送エラーがあっても、正しい設定状態に自動的に復帰可能とするもので、ＳＤＨ設定状態と、ＳＯＮＥＴ設定状態との何れの設定状態の場合も、前方保護及び後方保護を行うものであり、予め保護段数を設定する。例えば、オーバヘッドＳＯＨのＡＵポインタＡＵ  ＰＴＲのＨ１〜Ｈ３バイト（図９参照）の中のＨ１バイトのｓｓビットにより、ＳＤＨ方式は、ｓｓビット＝“１０”、ＳＯＮＥＴ方式は、ｓｓビット＝“００”とし、マスタ局は、Ｆ１バイトのｂ８ビット＝“１”、スレーブ局は、ｂ８ビット＝“０”又は“１”とし、ＳＤＨ設定状態で後方保護段数をＭ、ＳＯＮＥＴ設定状態で前方保護段数をＮ（なお、Ｎ＝Ｍ、或はＮ≠Ｍ）とし、例えば、初期設定時に、マスタ局をＳＤＨ方式に設定した場合に、Ｈ１バイトのｓｓビット＝“００”を受信し、これをＭ回以下の連続ではＳＤＨ方式設定状態を維持し、連続してＭ回以上繰り返しＨ１バイトのｓｓビット＝“００”を受信した場合は、ＳＯＮＥＴ設定状態に変更する。同様に、ＳＯＮＥＴ設定状態の伝送装置が、Ｈ１バイトのｓｓビット＝“０１”を受信し、それにより、初期設定時に、マスタ局以外の伝送装置がＦ１バイトのｂ８ビット＝“１”、伝送モードを示すＨ１バイトのｓｓビット＝“００”に設定されていたとしても、保護段数Ｎ回の繰り返し受信により、ＳＤＨ設定状態に変更する。この伝送方式の変更処理手段は、例えば、図２に於ける検出部５による検出機能を利用し、Ｆ１バイトのｂ８ビット及びＨ１バイトのｓｓビットの検出結果を基に、伝送方式変換処理を実行する構成を、伝送モード変更部（Ｍｏｄｅ  ＣＨＧ部）７（図２参照）に設けることができる。なお、この場合の変更処理手段のみを独立した構成とすることも可能である。
【符号の説明】
【００２５】
１，１０  送受信部（ＳＦＰ）
２  フレーム処理部（Ｆｒａｍｅｒ）
３  マッピング処理部（Ｍａｐｐｅｒ）
４  直並列変換部（ＳＥＲＤＥＳ）
５  検出部（Ｆ１ｂｙｔｅ／ｓｓｂｉｔＤＥＴ）
６  Ｆ１バイト挿入部（Ｆ１ｂｙｔｅ（ｂ８）ＩＮＳ）
７  伝送モード変更部（Ｍｏｄｅ  ＣＨＧ）
１１  フレーム処理部（Ｆｒａｍｅｒ）
１２  伝送モード変更部（Ｍｏｄｅ  ＣＨＧ）
２３  同期挿入検出部（ＳＯＨ  ＩＮＳ／ＤＥＴ）
２４  挿入検出部（ＰＯＨ  ＩＮＳ／ＤＥＴ）
２５  多重分離部（ＤＭＵＸ）
２６  多重部（ＭＵＸ）
２７  コード変換部（ＳＳＭ  ＱＬ  Ｃｏｄｅ変換部）
２８  未使用バイト変換部（ＳＯＨ未使用ｂｙｔｅ変換部）
２９  ＡＰＳ切替方式変換部
【図１】
0005707347.tif 000002
【図２】
0005707347.tif 000003
【図３】
0005707347.tif 000004
【図４】
0005707347.tif 000005
【図５】
0005707347.tif 000006
【図６】
0005707347.tif 000007
【図７】
0005707347.tif 000008
【図８】
0005707347.tif 000009
【図９】
0005707347.tif 000010